(57)【特許請求の範囲】
【請求項１】
１系と２系のループ伝送路によって親局と端末装置間で情報伝送を行い、送信側は一方の伝送路からの先着データ受信後、他方の伝送路からの後着データの受信後に送信するディジタル保護継電システムの伝送方式において、
先着データの受信から一定時間Ｔだけ待つタイマを設け、このタイマのタイムアウトまでに後着データの受信があるときはその間の時間測定結果に応じて次回の時間Ｔを更新設定して送信処理し、タイムアウトまで受信がないときは送信処理し、片方の系が異常の場合は先着データ受信後に直ちに送信処理する手段を備えたことを特徴とするディジタル保護継電システムの伝送方式。
【請求項２】
１系と２系のループ伝送路によって親局と端末装置間で情報伝送を行い、送信側は一方の伝送路からの先着データ受信後、他方の伝送路からの後着データの受信後に送信するディジタル保護継電システムの伝送方式において、
先着データの受信から一定時間Ｔだけ待つタイマを設け、このタイマの時間はシステム起動時に先着データ受信から後着データ受信までの時間を複数回測定してその平均値に設定し、以降はその値を固定し、このタイマのタイムアウトまでに後着データの受信がないときは送信処理し、片方の系が異常の場合は先着データ受信後に直ちに送信処理する手段を備えたことを特徴とするディジタル保護継電システムの伝送方式。
【発明の詳細な説明】
【０００１】
【発明の属する技術分野】
本発明は、電力系統の保護を行うディジタル保護継電システムに係り、特に１系と２系のループ伝送路によって親局と端末装置間の情報伝送を行うための伝送方式に関する。
【０００２】
【従来の技術】
この種のシステムは、図３にディジタル保護継電システムの伝送路構成を示すように、親局１、２と端末装置３1〜３n間を１系と２系のループ回線の伝送路で接続し、情報送信側は両伝送系に同一情報を送り、情報受信側は、１系と２系の伝送路のうちどちらか早く到着した系の情報で制御するシステムとする。
【０００３】
詳細には、親局１，２で二重化され、通常時には親局１がその役目を行い、親局２はサブマスタである。親局は、端末へのデータ送信と端末局のポーリング処理を行う。サブマスタは、親局に不具合があった場合に親局の代わりとなる。通常は、端末の役割となり、親局のポーリングに答える。親局は、一定周期で１系と２系の伝送路に同時にデータを送信し、端末局をポーリングする。ポーリング信号は、１系、２系それぞれの親局受信で受信され、データが正しく送られたことを確認する。データが受信されないと異常となる。端末局は、１系、２系のどちらか早い方の受信データを判断し、一定時間待って自局のデータを送信する。
【０００４】
上記の伝送方式では、先着データにより、受信側が送信開始するタイミングは、遅れて到着する片系のデータより遅くなければならず、到着時間を考慮し、一定時間送れて送信している。
【０００５】
この詳細なタイミングは図４に示し、親局送信から親局受信までの１系、２系のデータの遅延について各端末局のタイミングを含めて表した図である。１系のデータは、親局１から端末３nを通って、親局１受信へ戻ってくる。２系は、親局１から親局２を通って、親局１の２系受信に戻ってくる。親局２の各系統信号の到着差は、Ａとなる。この局より応答として送信するためには、Ａより長いＢのタイミングで応答を返す必要がある。現在は、このＢの時間を一定時間固定で制御している。端末３2の送出タイミングもデータ受信してからＢのタイミングで固定のためかなりの時間ロスとなる。
【０００６】
【発明が解決しようとする課題】
従来の伝送方式では、先着受信データから遅く到着する片系の受信データ時期を最大待って、送信しており、送信時間が遅くなる。
【０００７】
また、先着受信データよりも遅く到着する片系受信データタイミングは、伝送距離、その端末の位置により変化する。よって、各端末により異なるタイミングを設定することで伝送時間の短縮を図ると、その設定が複雑になるし、システムの変更があるとその都度変更する必要がある。
【０００８】
本発明の目的は、適切な送信タイミングに自動設定した通信ができるディジタル保護継電システムを提供することにある。
【０００９】
【課題を解決するための手段】
本発明は、先着データの受信から一定時間Ｔだけ待つタイマを設け、このタイムアウトまでに片系の受信があるときはその間の時間測定結果に応じて次回の時間Ｔを更新設定することで送信タイミングを適切な時間に自動設定するようにしたもので、以下の方式を特徴とする。
【００１０】
１系と２系のループ伝送路によって親局と端末装置間で情報伝送を行い、送信側は一方の伝送路からの先着データ受信後、他方の伝送路からの後着データの受信後に送信するディジタル保護継電システムの伝送方式において、
先着データの受信から一定時間Ｔだけ待つタイマを設け、このタイマのタイムアウトまでに後着データの受信があるときはその間の時間測定結果に応じて次回の時間Ｔを更新設定して送信処理し、タイムアウトまで受信がないときは送信処理し、片方の系が異常の場合は先着データ受信後に直ちに送信処理する手段を備えたことを特徴とする。
【００１１】
また、本発明は、先着データの受信から一定時間Ｔだけ待つタイマを設け、このタイマの時間の設定を、システム起動時に先着データ受信から後着データ受信までの時間を複数回測定し、その平均値とし、以降はその値を固定するようにしたもので、以下の方式を特徴とする。
【００１２】
１系と２系のループ伝送路によって親局と端末装置間で情報伝送を行い、送信側は一方の伝送路からの先着データ受信後、他方の伝送路からの後着データの受信後に送信するディジタル保護継電システムの伝送方式において、
先着データの受信から一定時間Ｔだけ待つタイマを設け、このタイマの時間はシステム起動時に先着データ受信から後着データ受信までの時間を複数回測定してその平均値に設定し、以降はその値を固定し、このタイマのタイムアウトまでに後着データの受信がないときは送信処理し、片方の系が異常の場合は先着データ受信後に直ちに送信処理する手段を備えたことを特徴とする。
【００１３】
【発明の実施の形態】
図１は、本発明の実施形態を示す送信処理手順図であり、システムに備えるコンピュータのソフトウェア構成として実現される。
【００１４】
親局または端末になる送信側は、システムの起動時には、先着データを受信したとき（Ｓ１）、片系異常でない場合（Ｓ２）、この時点より一定時間待つタイマ（最大受信遅れ時間Ｔ）を起動する（Ｓ３）。
【００１５】
その後、タイムアウトか片系の受信かを待ち、片系受信すると（Ｓ４）、先着データから後着データまでの間の時間ｔを測定し（Ｓ５）、次回のタイムアウト時間Ｔをｔ＋αに設定し（Ｓ６）、送信処理を行う（Ｓ７）。
【００１６】
また、片系を受信する前にタイムアウトになったとき（Ｓ８）、送信処理を行い（Ｓ７）、タイムアウト時間Ｔは、前回と同じとする。
【００１７】
なお、片系異常の場合（Ｓ２）は、先着データを確認したら直ちに送信処理を行う。
【００１８】
図２には上記の送信処理のタイミング例を示し、端末３2の送出タイミングがＤとなり、Ｂよりかなり改善され早く送信処理ができているのがわかる。
【００１９】
なお、上記の送信処理において、タイムアウト時間Ｔの設定を最初の複数回（例えば１０回）の平均値を求めて設定し、以降は、その値を変更しないようにすることができる。この方式は、システムの変更がないことを条件にし、送信処理毎に図１の処理を行うためのソフトウェア処理時間を省略できる。
【００２０】
【発明の効果】
以上のとおり、本発明によれば、先着データの受信から一定時間Ｔだけ待つタイマを設け、このタイムアウトまでに片系の受信があるときはその間の時間測定結果に応じて次回の時間Ｔを更新設定するようにしたため、送信タイミングを最短の待ち時間に自動設定することができ、システムの伝送時間を最速にし、保護制御の高速化が可能となる。
【００２１】
また、先着データの受信から一定時間Ｔだけ待つタイマを設け、このタイマの時間の設定を、システム起動時に先着データ受信から後着データ受信までの時間を複数回測定し、その平均値とし、以降はその値を固定するようにしたため、毎回タイムアウト時間の計算、設定が必要でなくなるため、処理のスピードアップを図ることができる。
【図面の簡単な説明】
【図１】本発明の実施形態を示す送信処理手順。
【図２】実施形態における伝送データ送信、受信タイミング。
【図３】保護継電システムの伝送路構成。
【図４】従来の伝送データ送信、受信タイミング。
【符号の説明】
１、２…親局
３1〜３n…端末装置
【図１】
0004254048.tif 000002
【図２】
0004254048.tif 000003
【図３】
0004254048.tif 000004
【図４】
0004254048.tif 000005